(57)【要約】      （修正有）【課題】  簡便な構成により、支持対象物の動揺を効果的に抑制しつつ、省スペース化に寄与することのできる防振支持装置を提供する。【解決手段】  振動体に設けられ、支持対象物２を該振動体にて支持させる防振支持装置であって、前記支持対象物２の側面２０２Ｓにおける第１の所定位置Ｐ１を略水平方向において弾性的に支持する第１の支持部１０１と、前記支持対象物２の側面２０２Ｓにおける前記第１の所定位置Ｐ１と近接する第２の所定位置Ｐ２に該支持対象物２と一体的に設けられた突出部２０１と、前記第１の支持部１０１と一体的に構成され、前記突出部２０１を略垂直方向において弾性的に支持する第２の支持部１０２とを備えてなる。【選択図】  図４
2007100887.tif 000002
【特許請求の範囲】
【請求項１】
振動体に設けられ、支持対象物を該振動体にて支持させる防振支持装置であって、
前記支持対象物の側面における第１の所定位置を略水平方向において弾性的に支持する第１の支持部と、
前記支持対象物の側面における前記第１の所定位置と近接する第２の所定位置に該支持対象物と一体的に設けられた突出部と、
前記第１の支持部と一体的に構成され、前記突出部を略垂直方向において弾性的に支持する第２の支持部と
を備えてなることを特徴とする防振支持装置。
【発明の詳細な説明】
【技術分野】
【０００１】
本発明は、振動体から支持対象物に伝達される振動を減衰させつつ、該支持対象物を振動体にて支持させる防振支持装置に関し、特にその支持構造に関するものである。
【背景技術】
【０００２】
従来、無線機等の振動の悪影響を受け易い支持対象物を振動体にて支持させる場合、該支持対象物に該振動体の振動を極力伝達させないようにするため、弾性体を介して支持する防振支持装置が使用されている。
【０００３】
図８〜図１０は従来の防振支持装置を示す図である。図８は従来の防振支持装置を図９におけるＶ方向からみた図であり、図９は従来の防振支持装置を図８におけるＷ方向からみた図であり、図１０は従来の防振支持装置を図８におけるＦ方向からみた図である。
【０００４】
図８に示すように、従来の防振支持装置は、支持対象物Ｑの側面Ｑｓをバネ９０１ｓを介して支持する支持部８と、支持対象物Ｑの底面Ｑｂをバネ９０２ｂを介して支持する支持部７とを備えてなる構成となっている。支持部８および支持部７は、振動体に設置されている。
【発明の開示】
【発明が解決しようとする課題】
【０００５】
従来の防振支持装置における支持構造では、支持対象物Ｑの上下方向および横方向における動揺を抑制するため、支持対象物Ｑの側面および底面を弾性的に支持する必要があった。このような支持構造は、その配置のためにスペースを広く確保しなければならず、装置全体としての省スペース化の妨げとなっていた。
【０００６】
本発明は上述した問題点を解決するためになされたものであり、簡便な構成により、支持対象物の動揺を効果的に抑制しつつ、省スペース化に寄与することのできる防振支持装置を提供することを目的とする。
【課題を解決するための手段】
【０００７】
上述した課題を解決するため、本発明に係る防振支持装置は、振動体に設けられ、支持対象物を該振動体にて支持させる防振支持装置であって、前記支持対象物の側面における第１の所定位置を略水平方向において弾性的に支持する第１の支持部と、前記支持対象物の側面における前記第１の所定位置と近接する第２の所定位置に該支持対象物と一体的に設けられた突出部と、前記第１の支持部と一体的に構成され、前記突出部を略垂直方向において弾性的に支持する第２の支持部とを備えてなることを特徴とするものである。
【発明の効果】
【０００８】
以上に詳述したように本発明によれば、簡便な構成により、支持対象物の動揺を効果的に抑制しつつ、省スペース化に寄与することのできる防振支持装置を提供することができる。
【発明を実施するための最良の形態】
【０００９】
（第１の実施の形態）
以下、本発明の実施の形態について図面を参照しつつ説明する。
【００１０】
本実施の形態による防振支持装置は、例えば車両、船舶および航空機等の振動を伴う振動体に設けられ、無線機等の支持対象物を該振動体にて支持させる役割を有している。
【００１１】
図１および図２は、本実施の形態による防振支持装置の構成について説明するための斜視図であり、図３は本実施の形態による防振支持装置によって支持対象物を支持している状態を図４におけるＶ方向からみた図であり、図４は本実施の形態による防振支持装置によって支持対象物を支持している状態を図３におけるＷ方向からみた図であり、図５は本実施の形態による防振支持装置によって支持対象物を支持している状態を図３におけるＦ方向からみた図である。
【００１２】
具体的に、本実施の形態による防振支持装置は、第１の支持部および第２の支持部と、突出部とを備えてなる構成となっている。
【００１３】
第１の支持部は、支持部材１における支持部１０１および弾性体３０１ｓから構成され、支持対象物２の側面２０２ｓにおける第１の所定位置Ｐ１を略水平方向において弾性的に支持する役割を有している。
【００１４】
突出部２０１は、支持対象物２の側面２０２ｓにおける第１の所定位置Ｐ１と近接する第２の所定位置Ｐ２に支持対象物２と一体的に設けられている。
【００１５】
第２の支持部は、第１の支持部と一体的に構成されており、支持部材１における支持部１０２、支持部１０３、弾性体３０２ａおよび弾性体３０３ｂから構成され、突出部２０１を（ひいては支持対象物２を）略垂直方向において弾性的に支持する役割を有している。
【００１６】
なお、本実施の形態における弾性体３０１ｓ、３０２ａおよび３０３ｂは、例えば金属製のバネから構成されている。支持部材１は支持対象物を支持させようとする振動体に対して溶接、締結、嵌め込み等の手段により設置され、振動体とほぼ一体的に振動する。
【００１７】
具体的に、第１の支持部は、支持部材１の支持部１０１における支持面１０１ｓによって支持された弾性体３０１ｓによって、支持対象物２の側面２０２ｓにおける第１の所定位置Ｐ１を略水平方向（ｘ軸方向）に支持している。これにより、主に支持対象物２の横方向における動揺を抑制する。
【００１８】
突出部２０１は、支持対象物２の側面２０２ｓから略水平方向（ｘ−ｙ平面方向）に延びるように突出しており、その上面側と下面側が弾性体により支持可能となっている。
【００１９】
第２の支持部は、支持部材１の支持部１０２における支持面１０２ａによって支持された弾性体３０２ａにより突出部２０１の上面２０１ａを略垂直方向において支持するとともに、支持部材１の支持部１０３における支持面１０３ｂによって支持された弾性体３０３ｂにより突出部２０１の下面２０１ｂを略垂直方向において支持している。これにより、主に支持対象物２の上下方向における動揺を抑制する。
【００２０】
また本実施の形態では、第１の支持部によって支持する第１の所定位置Ｐ１と突出部２０１を設ける第２の所定位置Ｐ２との側面２０２ｓ上における距離Ｌが近接するように設定されており、これによって支持部材１全体としてのサイズを小さくすることができ、省スペース化に寄与することができる。
【００２１】
また、本実施の形態において振動体からの振動を減衰させる弾性体は、その脱落を防止するため、その端部を該端部が接している支持対象物２の側面２０２ｓ、支持面１０１ｓ、支持面１０２ａ、支持面１０３ｂ、突出部２０１の上面２０１ａおよび下面２０１ｂに対して連結されている。弾性体端部の連結方法としては、例えば締結、嵌め込み、接着などが挙げられる。
【００２２】
このように、本実施の形態による防振支持装置によれば、支持対象物の側面付近に防振支持装置の支持構造を集中的に配置することができ、省スペース化に寄与することができるとともに、支持対象物の動揺を効果的に抑制することができる。
【００２３】
（第２の実施の形態）
続いて、本発明の第２の実施の形態について説明する。
【００２４】
本実施の形態は、上述の第１の実施の形態の変形例であり、支持部材における第１の支持部の構成が第１の実施の形態とは異なる。以下、第１の実施の形態においてすでに述べた部分と同一の部分には同一符号を付し、説明は割愛する。
【００２５】
図６は、本実施の形態による防振支持装置における支持部材１'の構成を示す外観斜視図である。
【００２６】
同図に示すように、本実施の形態における支持部１０１'は、支持部１０２の上方ではなく、支持部１０３の下方に設けられている。このような構成とすることにより、支持対象物の側面付近における上側位置にスペース的な余裕がないような場合でも、第１の実施の形態と同様に省スペース化を実現しつつ十分な減衰性能を発揮することができる。
【００２７】
（第３の実施の形態）
続いて、本発明の第３の実施の形態について説明する。
【００２８】
本実施の形態は、上述の第１の実施の形態の変形例であり、支持部材における第１の支持部の構成が第１の実施の形態とは異なる。以下、第１の実施の形態においてすでに述べた部分と同一の部分には同一符号を付し、説明は割愛する。
【００２９】
図７は、本実施の形態による防振支持装置における支持部材１"の構成を示す外観斜視図である。
【００３０】
同図に示すように、本実施の形態では、支持部１０２の上方に設けられた支持部１０１に加え、支持部１０３の下方に設けられた支持部１０１'を有している。
【００３１】
このような構成とすることにより、支持対象物の側面を支持する弾性体の設置数を大幅に増加させることができ、上下方向においては第１の実施の形態と同様の減衰性能を実現しつつ、該防振支持装置が設置される振動体の横方向における振動が特に激しいような場合でも支持対象物に伝達される振動を十分に減衰させることができる。
【００３２】
なお、上述の各実施の形態において、支持対象物（例えば無線機）２のサイズは、例えば奥行き５００ｍｍ、幅５００ｍｍ、高さ２５０ｍｍであり、その質量は３０ｋｇとなっている。また、弾性体として用いているバネは、直径４０ｍｍ、長さ１２０ｍｍであり、その質量は０．１ｋｇとなっている。弾性体として用いるバネとして小型のものを使用することにより、弾性体の配置に必要なスペース（特に、高さ）を減らすことができ、かつ支持対象物の動揺範囲を減らすことができる。
【００３３】
また、上述の各実施の形態では、支持対象物２に伝わる振動を減衰させるための弾性体としてバネを用いている例を挙げたが、これに限られるものではなく、例えばワイヤーロープやゴムを振動の減衰に用いる構成としてもよいことは言うまでもない。また、上述の各実施の形態では、突出部２０１の上下を支持している弾性体は同じ特性のものを使用しているが、必要に応じて突出部の上側を支持する弾性体と突出部の下側を支持する弾性体の弾性特性を異ならせるようにしてもよい。
【００３４】
なお、上述の各実施の形態においては、突出部２０１が支持対象物２の側面から突出するように支持対象物２の側面と一体的に形成されている例を示したが、これに限られるものではなく、例えば突出部２０１が支持対象物２の側面２０２ｓに対して溶接により固定されている構成、ボルト等により締結されている構成および支持対象物２の側面２０２ｓに設けた溝に挿嵌することにより固定されている構成であってもよい。
【００３５】
また、上述の各実施の形態では、弾性体と支持部とが別部材となっている例を示したが、これに限られるものではなく、例えば樹脂等により弾性体と支持部とを一体成型する構成としても同様の効果を奏することができる。
【００３６】
また、上述の各実施の形態では、支持部材が支持対象物の両側面に配置されている例を示したが、これに限られるものではなく、例えば支持対象物の側面が４面ある場合における３側面および４側面に対して支持部材を配置する構成としてもよい。
【００３７】
また、上述の各実施の形態における防振支持装置によれば、例えば支持対象物の底面を弾性的に支持することが困難な場合でも、支持対象物の側面付近さえ支持スペースを確保できれば、十分な減衰性能を得ることができる。
【００３８】
また、支持対象物側面から突出させた突出部の上下を弾性体によって支持する構成とすることにより、弾性体の配置個数を大幅に増加させることができ、必要とする減衰性能を実現しやすいという効果を奏する。
【図面の簡単な説明】
【００３９】
【図１】本発明の第１の実施の形態による防振支持装置の構成について説明するための斜視図である。
【図２】本実施の形態による防振支持装置の構成について説明するための斜視図である。
【図３】本実施の形態による防振支持装置によって支持対象物を支持している状態を図４におけるＶ方向からみた図である。
【図４】本実施の形態による防振支持装置によって支持対象物を支持している状態を図３におけるＷ方向からみた図である。
【図５】本実施の形態による防振支持装置によって支持対象物を支持している状態を図３におけるＦ方向からみた図である。
【図６】本発明の第２の実施の形態による防振支持装置における支持部材１'の構成を示す外観斜視図である。
【図７】本発明の第３の実施の形態による防振支持装置における支持部材１"の構成を示す外観斜視図である。
【図８】従来の防振支持装置を図９におけるＶ方向からみた図である。
【図９】従来の防振支持装置を図８におけるＷ方向からみた図である。
【図１０】従来の防振支持装置を図８におけるＦ方向からみた図である。
【符号の説明】
【００４０】
１  支持部材、１０１，１０２，１０３  支持部、２  支持対象物、２０１  突出部、３０１ｓ，３０２ａ，３０３ｂ  弾性体。
【図１】
2007100887.tif 000003
【図２】
2007100887.tif 000004
【図３】
2007100887.tif 000005
【図４】
2007100887.tif 000006
【図５】
2007100887.tif 000007
【図６】
2007100887.tif 000008
【図７】
2007100887.tif 000009
【図８】
2007100887.tif 000010
【図９】
2007100887.tif 000011
【図１０】
2007100887.tif 000012